(57)【要約】【課題】充電池筐体とカバーを利用して充電池の陽極と陰極を常時外部と隔離させることで自然放電を抑制することができる自然放電防止用充電装置を提供する。【解決手段】本発明による自然放電防止用充電装置は、電源を充電するための充電池と、上記充電池が収容され、上記充電池の陽極及び陰極にそれぞれ接続される第１の（＋）端子及び第１の（−）端子を備える充電池筐体、及び上記充電池筐体の第１の（＋）端子及び第１の（−）端子にそれぞれ対応する第２の（＋）端子及び第２の（−）端子を備え、上記充電池筐体の一方側に取り付けられて上記充電池筐体の第１の（＋）端子及び第１の（−）端子を外部と隔離させるカバーと、を含み、上記充電池筐体と上記カバーは、上記充電池筐体の第１の（＋）端子及び第１の（−）端子と上記カバーの第２の（＋）端子及び第２の（−）端子とがそれぞれ相互接触する状態と相互接触しない状態を選択的に保持することができることを特徴とする。【選択図】図３
2011258536.tif 000002
【特許請求の範囲】
【請求項１】
自然放電防止用充電装置において、
電源を充電するための充電池と、
前記充電池が収容され、前記充電池の陽極及び陰極にそれぞれ接続される第１のプラス端子及び第１のマイナス端子を備える充電池筐体と、
前記充電池筐体の第１のプラス端子及び第１のマイナス端子にそれぞれ対応する第２のプラス端子及び第２のマイナス端子を備え、前記充電池筐体の一方側に取り付けられて前記充電池筐体の第１のプラス端子及び第１のマイナス端子を外部と隔離させるカバーと、を含み、
前記充電池筐体と前記カバーは、前記充電池筐体の第１のプラス端子及び第１のマイナス端子と前記カバーの第２のプラス端子及び第２のマイナス端子とがそれぞれ相互接触する状態と相互接触しない状態を選択的に保持することができることを特徴とする自然放電防止用充電装置。
【請求項２】
前記充電池筐体は、前記カバーと対向する面に第１の永久磁石を備え、前記カバーは、前記充電池筐体と対向する面に前記第１の永久磁石と斥力が作用するように第２の永久磁石を備えることを特徴とする請求項１に記載の自然放電防止用充電装置。
【請求項３】
前記充電池筐体と前記カバーとの間に弾性体を備えることを特徴とする請求項１または２に記載の自然放電防止用充電装置。
【請求項４】
前記カバーは、ねじ止め方式にて前記充電池筐体の一方の側に取り付けられることを特徴とする請求項１から請求項３のいずれか一項に記載の自然放電防止用充電装置。
【請求項５】
前記充電池筐体の第１のプラス端子及び第１のマイナス端子は、前記カバーの第２のプラス端子及び第２のマイナス端子よりも表面積が小さいことを特徴とする請求項１または２に記載の自然放電防止用充電装置。
【請求項６】
前記カバーの第２のプラス端子及び第２のマイナス端子を覆う端子蓋体をさらに含むことを特徴とする請求項１または２に記載の自然放電防止用充電装置。
【請求項７】
自然放電防止用充電装置において、
電源を充電するための充電池と、
前記充電池が収容され、前記充電池の陽極に接続される第１のプラス端子及び第３のプラス端子と前記充電池の陰極に接続される第１のマイナス端子及び第３のマイナス端子を備える充電池筐体と、
前記充電池筐体の第１のプラス端子及び第１のマイナス端子にそれぞれ対応する第２のプラス端子及び第２のマイナス端子を備え、前記充電池筐体の一方側に取り付けられて前記充電池筐体の第１のプラス端子及び第１のマイナス端子を外部と隔離させる第１のカバーと、
前記充電池筐体の第３のプラス端子及び第３のマイナス端子にそれぞれ対応する第４のプラス端子及び第４のマイナス端子を備え、前記充電池筐体の他方側に取り付けられて前記充電池筐体の第３のプラス端子及び第３のマイナス端子を外部と隔離させる第２のカバーと、を含み、
前記充電池筐体と前記第１のカバーは、前記充電池筐体の第１のプラス端子及び第１のマイナス端子と前記第１のカバーの第２のプラス端子及び第２のマイナス端子とがそれぞれ相互接触する状態と相互接触しない状態を選択的に保持することができ、
前記充電池筐体と前記第２のカバーは、前記充電池筐体の第３のプラス端子及び第３のマイナス端子と前記第２のカバーの第４のプラス端子及び第４のマイナス端子とがそれぞれ相互接触する状態と相互接触しない状態を選択的に保持することができることを特徴とする自然放電防止用充電装置。
【請求項８】
前記充電池筐体は、前記第１のカバー及び第２のカバーの少なくとも一つと対向する面に第１の永久磁石を備え、前記第１のカバー及び第２のカバーの少なくとも一つは、前記充電池筐体と対向する面に前記第１の永久磁石と斥力が作用するように第２の永久磁石を備えることを特徴とする請求項７に記載の自然放電防止用充電装置。
【請求項９】
前記充電池筐体と前記第１のカバー及び第２のカバーの少なくとも一つとの間に弾性体を備えることを特徴とする請求項７または８に記載の自然放電防止用充電装置。
【請求項１０】
前記第１のカバー及び第２のカバーは、ねじ止め方式にて前記充電池筐体の一方側及び他方側にそれぞれ取り付けられることを特徴とする請求項７または８に記載の自然放電防止用充電装置。
【請求項１１】
前記充電池筐体の第１のプラス端子及び第１のマイナス端子は、前記第１のカバーの第２のプラス端子及び第２のマイナス端子よりも表面積が小さいことを特徴とする請求項７または８に記載の自然放電防止用充電装置。
【発明の詳細な説明】
【技術分野】
【０００１】
本発明は、自然放電防止用充電装置に係り、より詳しくは、充電池の陽極（（＋）極）と陰極（（−）極）を常時外部と隔離させることで自然放電を抑制することができる充電装置に関する。
【背景技術】
【０００２】
充電池（ｒｅｃｈａｒｇｅａｂｌｅ ｂａｔｔｅｒｙ）は、一般に蓄電池（ｓｔｏｒａｇｅ ｂａｔｔｅｒｙ）とも言われており、外部の電気エネルギーを化学エネルギーの形態に変えて貯蔵しておき、必要な時に電気を作り出す二次電池（ｓｅｃｏｎｄａｒｙ ｃｅｌｌ）である。多用される二次電池としては、鉛蓄電池、ニッケル・カドミウム（ＮｉＣｄ）電池、ニッケル水素（ＮｉＭＨ）電池、リチウムイオン（Ｌｉ−ｉｏｎ）電池、リチウムイオンポリマー（Ｌｉ−ｉｏｎ ｐｏｌｙｍｅｒ）電池などがあり、これらは、一次電池とは異なって、何回も充電して使用することができるという長所をもつ。
【０００３】
この種の充電池（蓄電池）は、家庭向けの携帯電話やＭＰ３プレーヤーなどに使用する小型充電池から太陽エネルギー発電、風力エネルギー発電などに使用する大型充電池までの様々な形態のものがあり、その材料も前述したように多様である。
【０００４】
しかし、一般に充電池は、充電してから使用せずにそのまま放置しておくと自然放電されてしまい、エネルギーの無駄遣いになるという問題点がある。このような問題は、とりわけ、太陽エネルギー発電、風力エネルギー発電などで使用される充電池のように、充電してから直ぐ使用しない充電池の場合に、その問題がより深刻化する。そこで、充電後の自然放電を極力抑制することで長寿命化が実現できる、より効率よい充電装置が切実に求められている実情がある。
【発明の概要】
【発明が解決しようとする課題】
【０００５】
本発明は、上述したような問題点を解決するためになされたものであって、その目的は、充電池筐体とカバーを利用して充電池の陽極（（＋）極）と陰極（（−）極）を常時外部と隔離させることで自然放電を抑制することができる自然放電防止用充電装置を提供することである。
【０００６】
本発明の他の目的は、充電のための端子と電源供給のための端子とを別体で備えることで充電と電源供給を効率よく遂行することができる自然放電防止用充電装置を提供することである。
【０００７】
本発明のさらに他の目的は、充電池筐体とカバーとの間で斥力が作用するようにすることで充電池筐体の端子とカバーの端子とが相互接触しない状態を容易に保持できるようにする自然放電防止用充電装置を提供することである。
【課題を解決するための手段】
【０００８】
上記目的を達成するために、本発明の一形態による自然放電防止用充電装置は、電源を充電するための充電池と、上記充電池が収容され、上記充電池の陽極（（＋）極）及び陰極（（−）極）にそれぞれ接続される第１のプラス端子（（＋）端子）及び第１のマイナス端子（（−）端子）を備える充電池筐体、及び上記充電池筐体の第１のプラス端子及び第１のマイナス端子にそれぞれ対応する第２のプラス端子及び第２のマイナス端子を備え、上記充電池筐体の一方側に取り付けられて上記充電池筐体の第１のプラス端子及び第１のマイナス端子を外部と隔離させるカバーと、を含み、上記充電池筐体と上記カバーは、上記充電池筐体の第１のプラス端子及び第１のマイナス端子と上記カバーの第２のプラス端子及び第２のマイナス端子とがそれぞれ相互接触する状態と相互接触しない状態を選択的に保持することができることを特徴とする。
【０００９】
また、本発明の他の形態による自然放電防止用充電装置は、電源を充電するための充電池と、上記充電池が収容され、上記充電池の陽極（（＋）極）に接続される第１のプラス端子及び第３のプラス端子と上記充電池の陰極（（−）極）に接続される第１のマイナス端子及び第３のマイナス端子を備える充電池筐体と、上記充電池筐体の第１のプラス端子及び第１のマイナス端子にそれぞれ対応する第２のプラス端子及び第２のマイナス端子を備え、上記充電池筐体の一方側に取り付けられて上記充電池筐体の第１のプラス端子及び第１のマイナス端子を外部と隔離させる第１のカバー、及び上記充電池筐体の第３のプラス端子及び第３のマイナス端子にそれぞれ対応する第４のプラス端子及び第４のマイナス端子を備え、上記充電池筐体の他方側に取り付けられて上記充電池筐体の第３のプラス端子及び第３のマイナス端子を外部と隔離させる第２のカバーと、を含み、上記充電池筐体と上記第１のカバーは、上記充電池筐体の第１のプラス端子及び第１のマイナス端子と上記第１のカバーの第２のプラス端子及び第２のマイナス端子とがそれぞれ相互接触する状態と相互接触しない状態を選択的に保持することができ、上記充電池筐体と上記第２のカバーは、上記充電池筐体の第３のプラス端子及び第３のマイナス端子と上記第２のカバーの第４のプラス端子及び第４のマイナス端子とがそれぞれ相互接触する状態と相互接触しない状態を選択的に保持することができることを特徴とする。
【発明の効果】
【００１０】
本発明によれば、充電池筐体とカバーを利用して充電池の陽極（（＋）極）と陰極（（−）極）を常時外部と隔離させることで自然放電を抑制し、エネルギーの損失を低減し且つ充電池の長寿命化を実現することができるという効果を奏する。
【００１１】
また、本発明によれば、充電池筐体に充電のための端子と電源供給のための端子とを別体で備えることで充電と電源供給を効率よく遂行することができるという効果を奏する。
さらに、本発明によれば、充電池筐体とカバーとの間で斥力が作用するように永久磁石及び／または弾性体を備えることで充電池筐体の端子とカバーの端子とが相互接触しない状態を容易に保持することができるようにする効果を奏する。
【図面の簡単な説明】
【００１２】
【図１】本発明の一実施形態による自然放電防止用充電装置の斜視図である。
【図２】図１の自然放電防止用充電装置が接触状態である場合の断面図である。
【図３】図１の自然放電防止用充電装置が非接触状態である場合の断面図である。
【図４】図１の自然放電防止用充電装置が永久磁石を利用して非接触状態を保持していることを説明する断面図である。
【図５】図１の自然放電防止用充電装置が弾性体を利用して非接触状態を保持していることを説明する断面図である。
【図６】本発明の他の実施形態による自然放電防止用充電装置の斜視図である。
【図７】図６の自然放電防止用充電装置が充電状態である場合の断面図である。
【図８】図６の自然放電防止用充電装置が電源供給状態である場合の断面図である。
【発明を実施するための形態】
【００１３】
以下、添付の図面及び好適な実施形態を参照して本発明について詳しく説明する。なお、下記説明において本発明の要旨を曖昧にし得る公知の機能や構成についての詳細な説明は省略することにする。
【００１４】
先ず、図１は、本発明の一実施形態による自然放電防止用充電装置の斜視図である。そして、図２は、図１の自然放電防止用充電装置が接触状態である場合の断面図であり、図３は、図１の自然放電防止用充電装置が非接触状態である場合の断面図である。
【００１５】
図１ないし図３を参照すると、本発明の一実施形態による自然放電防止用充電装置は、大別して、充電池１１４と、これを取り囲んでいる充電池筐体１１０、及び充電池筐体１１０の一方の側に備えられて充電池筐体１１０のプラス端子（（＋）端子）１１１及びマイナス端子（（−）端子）１１２を外部と隔離させるカバー１２０とで構成される。
【００１６】
これを詳述すると、充電池１１４としては、鉛蓄電池、ニッケル・カドミウム（ＮｉＣｄ）電池、ニッケル水素（ＮｉＭＨ）電池、リチウムイオン（Ｌｉ−ｉｏｎ）電池、リチウムイオンポリマー（Ｌｉ−ｉｏｎ ｐｏｌｙｍｅｒ）電池などのように一般に公知されている充電池を使用することができる。
【００１７】
充電池筐体１１０は、充電池１１４がその内部に収容できるように形成され、充電池１１４を保護し且つ充電池１１４を外部と隔離させる筐体である。充電池筐体１１０は、充電池１１４の陽極（（＋）極）及び陰極（（−）極）にそれぞれ接続される（＋）端子１１１及び（−）端子１１２を備え、充電池１１４の（＋）極と（−）極を外部と完全に隔離させることで自然放電を抑制する。参考として、図中では充電池１１４の（＋）極と（−）極とを明示的に示してはいないが、充電池１１４の（＋）極と（−）極とは製造時から充電池筐体１１０の（＋）端子１１１及び（−）端子１１２に接触するように形成されていてもよく、また、電線や導体などを介して充電池筐体１１０の（＋）端子１１１及び（−）端子１１２に接続されるように形成されていてもよい。言い換えれば、充電池筐体１１０は、充電装置の製造時に充電池１１４の（＋）極及び（−）極が充電池筐体１１０の（＋）端子１１１及び（−）端子１１２に直接接触するように充電池１１４と一体型で形成されていてもよく、また、充電池１１４の（＋）極及び（−）極を電線などを介して充電池筐体１１０の（＋）端子１１１及び（−）端子１１２に接続させた後、充電池筐体１１０に充電池１１４を組み込んで固定板１１３で封止する形態で形成されていてもよい。そして、その結果、充電池１１４の（＋）極及び（−）極が外部と完全に隔離されるようになる。
【００１８】
カバー１２０は、充電池筐体１１０の（＋）端子１１１及び（−）端子１１２にそれぞれ対応するプラス端子（（＋）端子）１２１及びマイナス端子（（−）端子）１２２を備え、上記充電池筐体１１０の一方側に取り付けられて充電池筐体１１０の（＋）端子１１１及び（−）端子１１２を外部と隔離させる。参考として、カバー１２０の（＋）端子１２１及び（−）端子１２２は、充電時にはソーラセル（ｓｏｌａｒ ｃｅｌｌ）などに接続されて充電を遂行するようになり、電源供給の際は、電子機器などに接続されて電源供給を遂行するようになる。また、図中では示されていないが、カバー１２０の（＋）端子１２１及び（−）端子１２２を覆って外部と隔離させる端子蓋体（例えば、ねじ止め方式や嵌め込み方式にて取り付けられるゴム蓋体）を備えることもできる。
【００１９】
充電池筐体１１０とカバー１２０の取り付け形態は、例えば、充電池筐体１１０の外周面にねじ山が形成され、カバー１２０の内周面にそれに対応するねじ山が形成されることでねじ止め方式にて取り付けることができる。勿論、充電池筐体１１０とカバー１２０との取り付け形態は、ねじ止め方式の他、公知の様々な方式を用いればよい。
【００２０】
図２及び図３を参照すると、図２は、カバー１２０が充電池筐体１１０に完全にねじ止めされ、充電池筐体１１０の（＋）端子１１１及び（−）端子１１２がカバー１２０の（＋）端子１２１及び（−）端子１２２と接触した状態を示す図であり、図３は、カバー１２０が充電池筐体１１０に完全にねじ止めされておらず、充電池筐体１１０の（＋）端子１１１及び（−）端子１１２がカバー１２０の（＋）端子１２１及び（−）端子１２２と接触していない状態を示す図である。
【００２１】
これを詳述すると、充電池筐体１１０の（＋）端子１１１及び（−）端子１１２が外部と完全に隔離された状態における、図２の場合は、カバー１２０の（＋）端子１２１及び（−）端子１２２と接触し、その結果、充電や電源供給を遂行することができる場合であり、図３の場合は、カバー１２０の（＋）端子１２１及び（−）端子１２２と接触しておらず、その結果、充電や電源供給を遂行することができない場合である。すなわち、本発明による充電装置は、使用状態では充電池筐体１１０の（＋）端子１１１及び（−）端子１１２とカバー１２０の（＋）端子１２１及び（−）端子１２２とが接触し、充電池１１４から充電や電源供給を遂行するようになり、未使用状態では充電池筐体１１０の（＋）端子１１１及び（−）端子１１２とカバー１２０の（＋）端子１２１及び（−）端子１２２とが接触しておらず、充電池筐体１１０の（＋）端子１１１及び（−）端子１１２を外部と隔離させることで自然放電が起こることを抑制する。参考として、この場合、カバー１２０の（＋）端子１２１及び（−）端子１２２は、ソーラセル、電子機器などとの接続が容易な大きさ及び形状で形成し、充電池筐体１１０の（＋）端子１１１及び（−）端子１１２は、表面積が小さく（例えば、カバー１２０の（＋）端子１２１及び（−）端子１２２よりも小さい表面積を有するように）形成することにより、自然放電の効率を高めることができる。
【００２２】
一方、本発明の好適な実施形態によれば、充電池筐体１１０の（＋）端子１１１及び（−）端子１１２とカバー１２０の（＋）端子１２１及び（−）端子１２２とが非接触状態を容易に保持するために永久磁石や弾性体などを利用することができる（図４及び図５参照）。例えば、カバー１２０が充電池筐体１１０にねじ止め方式ではない他の方式にて取り付けられる場合は、充電池筐体１１０の（＋）端子１１１及び（−）端子１１２とカバー１２０の（＋）端子１２１及び（−）端子１２２とが非接触状態を安定して保持し続けられなくなる場合が生じ得るが、本発明では、これを解決するために永久磁石や弾性体などを利用して非接触状態を容易に保持できるようにする（勿論、永久磁石や弾性体などはねじ止め方式の場合にも適用できる）。
【００２３】
図４は、充電池筐体１１０とカバー１２０とが永久磁石１１５、１２５を利用して非接触状態を容易に保持していることを説明する図であり、図５は、充電池筐体１１０とカバー１２０とが弾性体１１６を利用して非接触状態を容易に保持していることを説明する図である。
【００２４】
図４を参照すると、充電池筐体１１０には、カバー１２０と対向する面に永久磁石１１５が備えられ、カバー１２０には、充電池筐体１１０と対向する面に永久磁石１２５が備えられる。そして、充電池筐体１１０の永久磁石１１５とカバー１２０の永久磁石１２５とは互いに斥力が作用するように配設され、カバー１２０が充電池筐体１１０に正常に閉められていない状態（すなわち、完全に取り付けられていない状態）では、充電池筐体１１０の端子１１１、１１２とカバー１２０の端子１２１、１２２とが接触しないように保持する。
【００２５】
同様に、図５を参照すると、充電池筐体１１０とカバー１２０との間にばねやスポンジなどのような弾性体１１６を備えさせ、充電池筐体１１０の端子１１１、１１２とカバー１２０の端子１２１、１２２とが非接触状態を容易に保持できるように実現することもできる。また、永久磁石１１５、１２５と弾性体１１６との双方を利用して（例えば、充電池筐体１１０とカバー１２０とが対向する面の中央に永久磁石１１５，１２５を斥力が作用するように配置させ、縁部に弾性体１１６を備えさせる）、充電池筐体１１０の端子１１１、１１２とカバー１２０の端子１２１、１２２とが非接触状態を容易に保持できるように実現することもできる。
【００２６】
以下、図６ないし図８を参照して本発明の他の実施形態による自然放電防止用充電装置を説明する。参考として、図６ないし図８に示された自然放電防止用充電装置は、充電のための（＋）端子及び（−）端子と電源供給のための（＋）端子及び（−）端子を別体で備える場合を例示したものである。
【００２７】
図６は、本発明の他の実施形態による自然放電防止用充電装置の斜視図である。そして、図７は、図６の自然放電防止用充電装置が充電状態である場合の断面図であり、図８は、図６の自然放電防止用充電装置が電源供給状態である場合の断面図である。
【００２８】
図６ないし図８を参照すると、本発明の他の実施形態による自然放電防止用充電装置は、大別して、充電池１１４と、これを取り囲んでいる充電池筐体１１０、及び充電池筐体１１０の一方の側及び他方の側にそれぞれ備えられて充電池筐体１１０のプラス端子（（＋）端子）１１１，１１７、及びマイナス端子（（−）端子）１１２，１１８を外部と隔離させる第１のカバー１２０及び第２のカバー１３０とで構成される。
【００２９】
これを詳述すると、充電池１１４としては、鉛蓄電池、ニッケル・カドミウム（ＮｉＣｄ）電池、ニッケル水素（ＮｉＭＨ）電池、リチウムイオン（Ｌｉ−ｉｏｎ）電池、リチウムイオンポリマー（Ｌｉ−ｉｏｎ ｐｏｌｙｍｅｒ）電池などのように一般に公知されている充電池を使用することができる。
【００３０】
充電池筐体１１０は、充電池１１４がその内部に収容できるように形成され、充電池１１４を保護し且つ充電池１１４を外部と隔離させる筐体である。充電池筐体１１０は、充電池１１４の（＋）極及び（−）極にそれぞれ接続される（＋）端子１１１、１１７及び（−）端子１１２、１１８を備え、充電池１１４の（＋）極と（−）極を外部と完全に隔離させることで自然放電を抑制する。参考として、図中では充電池１１４の（＋）極と（−）極を明示的に示してはいないが、充電池１１４の（＋）極と（−）極とは製造時から充電池筐体１１０の（＋）端子１１１、１１７及び（−）端子１１２、１１８に接触するように形成されていてもよく、また、電線や導体などを介して充電池筐体１１０の（＋）端子１１１、１１７及び（−）端子１１２、１１８に接続されるように形成されていてもよい。言い換えれば、充電池筐体１１０は、充電装置の製造時に充電池１１４の（＋）極及び（−）極が充電池筐体１１０の（＋）端子１１１、１１７及び（−）端子１１２、１１８に直接接触するように充電池１１４と一体型で形成されていてもよく、また、充電池１１４の（＋）極及び（−）極を電線などを介して充電池筐体１１０の（＋）端子１１１、１１７及び（−）端子１１２、１１８に接続させた後、充電池筐体１１０に充電池１１４を組み込んで固定板１１３、１１９で封止する形態で形成されていてもよい。そして、その結果、充電池１１４の（＋）極及び（−）極が外部と完全に隔離されるようになる。
【００３１】
第１のカバー１２０は、充電池筐体１１０の第１の（＋）端子１１１及び第１の（−）端子１１２にそれぞれ対応する第２のプラス端子（（＋）端子）１２１及び第２のマイナス端子（（−）端子）１２２を備え、上記充電池筐体１１０の一方の側に取り付けられて充電池筐体１１０の第１の（＋）端子１１１及び第１の（−）端子１１２を外部と隔離させる。参考として、第１のカバー１２０の第２の（＋）端子１２１及び第２の（−）端子１２２は、電子機器などに接続されて電源供給を遂行するようになる。
【００３２】
カバー１２０の（＋）端子１２１及び（−）端子１２２は、ソーラセル、電子機器などとの接続が容易な大きさ及び形状で形成し、充電池筐体１１０の（＋）端子１１１及び（−）端子１１２は、表面積が小さく（例えば、カバー１２０の（＋）端子１２１及び（−）端子１２２よりも小さい表面積を有するように）形成することにより、自然放電の効率を高めることができる。
【００３３】
そして、第２のカバー１３０は、充電池筐体１１０の第３の（＋）端子１１７及び第３の（−）端子１１８にそれぞれ対応する第４のプラス端子（（＋）端子）１３１及び第４のマイナス端子（（−）端子）１３２を備え、上記充電池筐体１１０の他方の側に取り付けられて充電池筐体１１０の第３の（＋）端子１１７及び第３の（−）端子１１８を外部と隔離させる。参考として、第２のカバー１２０の第４の（＋）端子１３１及び第４の（−）端子１３２は、ソーラセル（ｓｏｌａｒ ｃｅｌｌ）などに接続されて充電を遂行するようになる。
【００３４】
充電池筐体１１０と第１の及び第２のカバー１２０、１３０の取り付け形態は、例えば、充電池筐体１１０の外周面にねじ山が形成され、第１及び第２のカバー１２０、１３０の内周面にそれに対応するねじ山が形成されることでねじ止め方式にて取り付けることができる。勿論、充電池筐体１１０と第１及び第２のカバー１２０、１３０の取り付け形態は、ねじ止め方式の他、公知の様々な方式を用いればよい。
【００３５】
図７を参照すると、同図は、第１のカバー１２０が充電池筐体１１０に完全にねじ止めされておらず、充電池筐体１１０の第１の（＋）端子１１１及び第１の（−）端子１１２が第１のカバー１２０の第２の（＋）端子１２１及び第２の（−）端子１２２と接触していない状態を保持し、また第２のカバー１３０が充電池筐体１１０に完全にねじ止めされており、充電池筐体１１０の第３の（＋）端子１１７及び第３の（−）端子１１８が第２のカバー１３０の第４の（＋）端子１３１及び第４の（−）端子１３２に接触している状態を保持していることを示す図である。すなわち、図７は、本発明による自然放電防止用充電装置がソーラセル（ｓｏｌａｒ ｃｅｌｌ）などに接続されている第２のカバー１３０の第４の（＋）端子１３１及び第４の（−）端子１３２から充電を遂行するある場合を示すものであって、このとき、充電池筐体１１０の第１の（＋）端子１１１及び第１の（−）端子１１２は、外部と完全に隔離されることで第１の（＋）端子１１１及び第１の（−）端子１１２からの自然放電が抑制される。
【００３６】
図８を参照すると、同図は、第１のカバー１２０が充電池筐体１１０に完全にねじ止めされており、充電池筐体１１０の第１の（＋）端子１１１及び第１の（−）端子１１２が第１のカバー１２０の第２の（＋）端子１２１及び第２の（−）端子１２２に接触する状態を保持し、また、第２のカバー１３０が充電池筐体１１０に完全にねじ止めされておらず、充電池筐体１１０の第３の（＋）端子１１７及び第３の（−）端子１１８が第２のカバー１３０の第４の（＋）端子１３１及び第４の（−）端子１３２に接触しない状態を保持していることを示す図である。すなわち、図８は、本発明による自然放電防止用充電装置が電子機器などに接続されている第１のカバー１２０の第２の（＋）端子１２１及び第２の（−）端子１２２から電源供給を遂行している場合を示すものであって、このとき、充電池筐体１１０の第３の（＋）端子１１７及び第３の（−）端子１１８は、外部と完全に隔離されることで第３の（＋）端子１１７及び第３の（−）端子１１８からの自然放電が抑制される。
【００３７】
一方、図中では図示していないが、本発明の他の実施形態による自然放電防止用充電装置は、充電と電源供給とを同時に遂行することができ、このとき、充電池筐体１１０の第１の（＋）端子１１１及び第１の（−）端子１１２は、第１のカバー１２０の第２の（＋）端子１２１及び第２の（−）端子１２２と接触状態を保持し、充電池筐体１１０の第３の（＋）端子１１７及び第３の（−）端子１１８も第２のカバー１３０の第４の（＋）端子１３１及び第４の（−）端子１３２と接触状態を保持する。そして、充電及び電源供給をしていない場合は、充電池筐体１１０の第１の（＋）端子１１１及び第１の（−）端子１１２は、第１のカバー１２０の第２の（＋）端子１２１及び第２の（−）端子１２２と非接触状態を保持し、充電池筐体１１０の第３の（＋）端子１１７及び第３の（−）端子１１８も第２のカバー１３０の第４の（＋）端子１３１及び第４の（−）端子１３２と非接触状態を保持する。
【００３８】
また、図中では図示していないが、本発明による自然放電防止用充電装置は、充電池筐体１１０の第１の（＋）端子１１１及び第１の（−）端子１１２と第１のカバー１２０の第２の（＋）端子１２１及び第２の（−）端子１２２とが非接触状態を容易に保持するために、及び／または充電池筐体１１０の第３の（＋）端子１１７及び第３の（−）端子１１８と第２のカバー１３０の第４の（＋）端子１３１及び第４の（−）端子１３２とが非接触状態を容易に保持するために、永久磁石や弾性体などを利用することができる。これについては、図４及び図５に関連した先の説明を参照すればよく、図４及び図５に適用された方式が図６ないし図８の自然放電防止用充電装置に対して同様または類似に適用できる。
【００３９】
以上、本発明の好適な実施形態について詳しく説明したが、本発明の属する技術分野における当業者ならば、本発明の技術的思想や必須特徴を変更することなく他の具体的な各種の形態で実施することができることから、上述した実施形態はすべての面において例示的なもので、本発明を限定するためのものではないことと理解されるべきである。
【００４０】
また、本発明の範囲は上記詳細な説明よりは特許請求の範囲によって特定されるべきであり、特許請求の範囲の意味及び範囲、並びにその等価概念から導出されるすべての変更または変形された形態は本発明の範囲に含まれることと解釈されるべきである。
【符号の説明】
【００４１】
１１０  充電池筐体
１１１  （＋）端子
１１２  （−）端子
１１４  充電池
１１５、１２５  永久磁石
１２０  カバー
１２１  （＋）端子
１２２  （−）端子
【図１】
2011258536.tif 000003
【図２】
2011258536.tif 000004
【図３】
2011258536.tif 000005
【図４】
2011258536.tif 000006
【図５】
2011258536.tif 000007
【図６】
2011258536.tif 000008
【図７】
2011258536.tif 000009
【図８】
2011258536.tif 000010